(57)【特許請求の範囲】
【請求項１】
表示部及び前記表示部への操作を検出可能な操作検出部を含む操作表示部と、
前記表示部に複数の操作アイコンが配置されたアイコン表示領域を表示させる第１表示処理部と、
予め定められた呼出操作が行われた場合に前記表示部に前記アイコン表示領域の一部と重なるキーボードを表示させる第２表示処理部と、
前記アイコン表示領域に配置された複数の前記操作アイコンのうち予め定められた操作期間において既に操作された操作済アイコンを識別する識別処理部と、
前記アイコン表示領域に配置された複数の前記操作アイコンの中に前記操作済アイコンが存在する場合に、前記第１表示処理部による前記操作アイコンの表示位置及び前記第２表示処理部による前記キーボードの表示位置のいずれか一方又は両方を前記キーボードと少なくとも一つの前記操作済アイコンの一部又は全部とが重なる位置に設定可能な表示位置設定部と、
を備える表示入力装置。
【請求項２】
前記表示位置設定部が、前記アイコン表示領域に配置された前記操作アイコンを避けて前記キーボードを表示できない場合に、前記第１表示処理部による前記操作アイコンの表示位置及び前記第２表示処理部による前記キーボードの表示位置のいずれか一方又は両方を前記キーボードと少なくとも一つの前記操作済アイコンの一部又は全部とが重なる位置に設定する請求項１に記載の表示入力装置。
【請求項３】
前記表示位置設定部が、前記アイコン表示領域に配置された複数の前記操作アイコンの中に前記操作済アイコンが存在しない場合は、前記第２表示処理部による前記キーボードの表示位置を前記キーボードと一部又は全部が重なる前記操作アイコンの数が最も少なくなる位置に設定可能である請求項１又は２に記載の表示入力装置。
【請求項４】
前記表示位置設定部が、前記アイコン表示領域に配置された複数の前記操作アイコンの中に前記操作済アイコンが存在する場合は、前記第２表示処理部による前記キーボードの表示位置を前記キーボードと一部又は全部が重なる未操作アイコンの数が最も少なくなる位置に設定可能である請求項１〜３のいずれかに記載の表示入力装置。
【請求項５】
前記表示位置設定部が、前記アイコン表示領域に配置された複数の前記操作アイコンの中に前記操作済アイコンが存在する場合は、前記第１表示処理部による前記操作アイコンの表示位置を前記キーボードと一部又は全部が重なる未操作アイコンの数が最も少なくなる位置に設定可能である請求項１〜３のいずれかに記載の表示入力装置。
【請求項６】
前記操作検出部により前記操作アイコンへの操作が検出された場合に、前記表示部に操作が検出された前記操作アイコンに対応する機能の設定操作に用いられる設定画面を表示させる第３表示処理部を更に備え、
前記識別処理部が、前記設定画面における前記設定操作の有無に基づいて前記操作済アイコンを識別する請求項１〜５のいずれかに記載の表示入力装置。
【請求項７】
請求項１〜６のいずれかに記載の表示入力装置と、
原稿から画像データを読取可能な画像読取部、及び画像データに基づいて画像を形成可能な画像形成部のいずれか一方又は両方と、を備え、
前記操作アイコンが、前記画像読取部及び前記画像形成部のいずれか一方又は両方によって実行される処理の内容の設定に用いられるアイコンである画像処理装置。
【請求項８】
表示部及び前記表示部への操作を検出可能な操作検出部を含む操作表示部を備える表示入力装置で実行される表示入力方法であって、
前記表示部に複数の操作アイコンが配置されたアイコン表示領域を表示させる第１ステップと、
予め定められた呼出操作が行われた場合に前記表示部に前記アイコン表示領域の一部と重なるキーボードを表示させる第２ステップと、
前記アイコン表示領域に配置された複数の前記操作アイコンのうち予め定められた操作期間において既に操作された操作済アイコンを識別する第３ステップと、
前記アイコン表示領域に配置された複数の前記操作アイコンの中に前記操作済アイコンが存在する場合に、前記第１ステップによる前記操作アイコンの表示位置及び前記第２ステップによる前記キーボードの表示位置のいずれか一方又は両方を前記キーボードと少なくとも一つの前記操作済アイコンの一部又は全部とが重なる位置に設定可能な第４ステップと、
を含む表示入力方法。
【発明の詳細な説明】
【技術分野】
【０００１】
本発明は、表示入力装置、表示入力装置を備える画像処理装置、及び表示入力装置で実行される表示入力方法に関する。
【背景技術】
【０００２】
プリンターのような画像処理装置は、表示部及び前記表示部への操作を検出可能な操作検出部を含む操作表示部を備えることがある。例えば、この種の画像処理装置では、前記表示部に前記画像処理装置の機能各々に対応する複数の操作アイコンが配置されたアイコン表示領域が表示される。前記画像処理装置では、前記表示部に表示される前記アイコン表示領域に配置された前記操作アイコンが操作されて、前記画像処理装置の機能の設定が行われる。
【０００３】
また、前記画像処理装置では、前記表示部にテンキーのようなキーボードが表示されることがある（例えば、特許文献１参照）。例えば、前記キーボードは、前記画像処理装置において数字情報の入力を伴う設定が行われる場合に、ユーザーの呼出操作に応じて前記表示部に表示される。
【先行技術文献】
【特許文献】
【０００４】
【特許文献１】特開２０１１−１２４６８８号公報
【発明の概要】
【発明が解決しようとする課題】
【０００５】
ところで、前記呼出操作に応じて前記表示部に前記キーボードが表示される際に、前記表示部に表示される画面のレイアウトの都合上、前記アイコン表示領域に配置された前記操作アイコンを避けて前記キーボードを表示させることができない場合がある。ここで、前記キーボードがユーザーの操作したい前記操作アイコンの上に重なる場合、ユーザーは、前記キーボードの下に隠れた前記操作アイコンを操作するために、前記キーボードの表示位置を変更させ、又は前記キーボードの表示を一旦終了させる操作を行う必要がある。
【０００６】
本発明の目的は、表示部にキーボードが表示される場合におけるユーザーの操作の手間を軽減可能な表示入力装置、画像処理装置、及び表示入力方法を提供することにある。
【課題を解決するための手段】
【０００７】
本発明の一の局面に係る表示入力装置は、操作表示部と、第１表示処理部と、第２表示処理部と、識別処理部と、表示位置設定部とを備える。前記操作表示部は、表示部及び前記表示部への操作を検出可能な操作検出部を含む。前記第１表示処理部は、前記表示部に複数の操作アイコンが配置されたアイコン表示領域を表示させる。前記第２表示処理部は、予め定められた呼出操作が行われた場合に前記表示部に前記アイコン表示領域の一部と重なるキーボードを表示させる。前記識別処理部は、前記アイコン表示領域に配置された複数の前記操作アイコンのうち予め定められた操作期間において既に操作された操作済アイコンを識別する。前記表示位置設定部は、前記アイコン表示領域に配置された複数の前記操作アイコンの中に前記操作済アイコンが存在する場合に、前記第１表示処理部による前記操作アイコンの表示位置及び前記第２表示処理部による前記キーボードの表示位置のいずれか一方又は両方を前記キーボードと少なくとも一つの前記操作済アイコンの一部又は全部とが重なる位置に設定可能である。
【０００８】
本発明の他の局面に係る画像処理装置は、表示入力装置と、画像読取部及び画像形成部のいずれか一方又は両方と、を備える。前記画像読取部は、原稿から画像データを読取可能である。前記画像形成部は、画像データに基づいて画像を形成可能である。前記表示入力装置は、操作表示部と、第１表示処理部と、第２表示処理部と、識別処理部と、表示位置設定部とを備える。前記操作表示部は、表示部及び前記表示部への操作を検出可能な操作検出部を含む。前記第１表示処理部は、前記表示部に複数の操作アイコンが配置されたアイコン表示領域を表示させる。前記操作アイコンは、前記画像読取部及び前記画像形成部のいずれか一方又は両方によって実行される処理の内容の設定に用いられる。前記第２表示処理部は、予め定められた呼出操作が行われた場合に前記表示部に前記アイコン表示領域の一部と重なるキーボードを表示させる。前記識別処理部は、前記アイコン表示領域に配置された複数の前記操作アイコンのうち予め定められた操作期間において既に操作された操作済アイコンを識別する。前記表示位置設定部は、前記アイコン表示領域に配置された複数の前記操作アイコンの中に前記操作済アイコンが存在する場合に、前記第１表示処理部による前記操作アイコンの表示位置及び前記第２表示処理部による前記キーボードの表示位置のいずれか一方又は両方を前記キーボードと少なくとも一つの前記操作済アイコンの一部又は全部とが重なる位置に設定可能である。
【０００９】
本発明の他の局面に係る表示入力方法は、表示部及び前記表示部への操作を検出可能な操作検出部を含む操作表示部を備える表示入力装置で実行され、以下の第１ステップ、第２ステップ、第３ステップ、及び第４ステップを含む。前記第１ステップでは、前記表示部に複数の操作アイコンが配置されたアイコン表示領域が表示される。前記第２ステップでは、予め定められた呼出操作が行われた場合に前記表示部に前記アイコン表示領域の一部と重なるキーボードが表示される。前記第３ステップでは、前記アイコン表示領域に配置された複数の前記操作アイコンのうち予め定められた操作期間において既に操作された操作済アイコンが識別される。前記第４ステップでは、前記アイコン表示領域に配置された複数の前記操作アイコンの中に前記操作済アイコンが存在する場合に、前記第１ステップによる前記操作アイコンの表示位置及び前記第２ステップによる前記キーボードの表示位置のいずれか一方又は両方が前記キーボードと少なくとも一つの前記操作済アイコンの一部又は全部とが重なる位置に設定されることがある。
【発明の効果】
【００１０】
本発明によれば、表示部にキーボードが表示される場合におけるユーザーの操作の手間を軽減可能な表示入力装置、画像処理装置、及び表示入力方法が実現される。
【図面の簡単な説明】
【００１１】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の操作表示部の構成を示す図である。
【図４】図４は、本発明の実施形態に係る画像処理装置の表示部に表示される操作画面の一例を示す図である。
【図５】図５は、本発明の実施形態に係る画像処理装置の表示部に表示される操作画面の一例を示す図である。
【図６】図６は、本発明の実施形態に係る画像処理装置の表示部に表示される操作画面の一例を示す図である。
【図７】図７は、本発明の実施形態に係る画像処理装置で実行される操作画面表示処理の一例を示すフローチャートである。
【図８】図８は、本発明の実施形態に係る画像処理装置の表示部に表示されるキーボードの一例を示す図である。
【図９】図９は、本発明の実施形態に係る画像処理装置の表示部に表示されるキーボードの一例を示す図である。
【図１０】図１０は、本発明の実施形態に係る画像処理装置の表示部に表示されるキーボードの一例を示す図である。
【発明を実施するための形態】
【００１２】
以下、添付図面を参照しながら、本発明の実施形態について説明し、本発明の理解に供する。なお、以下の実施形態は、本発明を具体化した一例であって、本発明の技術的範囲を限定するものではない。
【００１３】
［画像処理装置１０の概略構成］
まず、図１〜図３を参照しつつ、本発明の実施形態に係る画像処理装置１０の概略構成について説明する。ここで、図１は画像処理装置１０の構成を示す断面模式図である。また、図３は操作表示部６の構成を示す平面模式図である。
【００１４】
画像処理装置１０は、原稿から画像データを読み取るスキャン機能、及び画像データに基づいて画像を形成するプリント機能と共に、ファクシミリ機能、及びコピー機能などの複数の機能を有する複合機である。また、本発明は、スキャナー装置、プリンター装置、ファクシミリ装置、及びコピー機などの画像処理装置に適用可能である。
【００１５】
図１及び図２に示すように、画像処理装置１０は、ＡＤＦ１、画像読取部２、画像形成部３、給紙部４、制御部５、及び操作表示部６を備える。
【００１６】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１７】
画像形成部３は、画像読取部２で読み取られた画像データ又は外部のパーソナルコンピューター等の情報処理装置から入力された画像データに基づいて、電子写真方式でカラー又はモノクロの画像を形成する画像形成処理（印刷処理）を実行可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。給紙部４は、画像形成部３にシートを供給する。画像形成部３では、給紙部４から供給されるシートにカラー又はモノクロの画像が形成されて、画像形成後の前記シートが前記排紙トレイに排出される。なお、画像形成部３は、インクジェット方式などの他の画像形成方式により画像を形成するものであってもよい。
【００１８】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１９】
操作表示部６は、画像処理装置１０におけるユーザーインターフェイスである。図２及び図３に示すように、操作表示部６は、表示部６１、操作検出部６２、及びハードキー６３を備える。
【００２０】
表示部６１は、制御部５からの制御指示に応じて各種の情報を表示する。例えば、表示部６１は液晶ディスプレーである。
【００２１】
操作検出部６２は、表示部６１へのユーザーの操作を検出することが可能な所謂タッチパネルである。例えば、操作検出部６２は、抵抗膜方式によりユーザーの指などの物体が表示部６１に接触した場合における前記物体と表示部６１との接触位置を検出する。なお、操作検出部６２は、静電容量方式など、他の検出方式を用いて前記物体と表示部６１との接触を検出してもよい。
【００２２】
ハードキー６３は、ユーザーの操作に応じて制御部５に各種の情報を入力する。例えば、図３に示すように、ハードキー６３は、電源キー６３１、スタートキー６３２、及び呼出キー６３３を含む。
【００２３】
電源キー６３１は、画像処理装置１０の各部への給電の制御に用いられる。例えば、画像処理装置１０では、電源キー６３１の操作により、画像処理装置１０の動作モードが通常モード及び省エネモードの間で切り替えられる。例えば、画像処理装置１０では、電源キー６３１の操作により前記動作モードが前記省エネモードから前記通常モードに切り替えられると共に、表示部６１にコピー機能、プリント機能、スキャン機能、及びファクシミリ機能などの画像処理装置１０の機能を選択可能な初期画面が表示される。
【００２４】
スタートキー６３２は、制御部５へのジョブの実行指示の入力に用いられる。例えば、画像処理装置１０では、前記初期画面でコピー機能を選択するユーザーの操作が行われた後にスタートキー６３２が操作されると、ＡＤＦ１の前記原稿セット部又は画像読取部２の前記原稿台に載置された原稿を印刷するコピージョブが実行される。
【００２５】
呼出キー６３３は、表示部６１にキーボードを表示させる。例えば、前記キーボードは文字、数字、及び記号のいずれか一つ又は複数の入力に用いられるテンキーである。
【００２６】
表示部６１には、複数の操作アイコンが配置されたアイコン表示領域を含む操作画面が表示される。例えば、前記操作アイコンは、前記コピージョブ、プリントジョブ、スキャンジョブ、ファクシミリジョブなどの画像読取部２及び画像形成部３のいずれか一方又は両方によって実行される処理の内容の設定に用いられるアイコンである。画像処理装置１０では、前記操作画面に配置された前記操作アイコンが操作されて、画像処理装置１０の機能の設定が行われる。
【００２７】
図４に、表示部６１に表示される前記アイコン表示領域を含む前記操作画面の一例を示す。図４に示される操作画面Ｇ１０は、画像処理装置１０で実行される前記コピージョブに関する機能各々の設定に用いられる画面である。例えば、操作画面Ｇ１０は、前記初期画面でコピー機能を選択するユーザーの操作が行われた場合に表示される。
【００２８】
図４に示されるように、操作画面Ｇ１０は、メッセージ表示欄Ｒ１１、印刷部数入力欄Ｒ１２、プレビュー表示欄Ｒ１３、アイコン表示領域Ｒ２１、プレビュー表示キーＫ１１、及び表示切替タブＴ１１〜Ｔ１６を含む。
【００２９】
メッセージ表示欄Ｒ１１には、ユーザーへのメッセージが表示される。印刷部数入力欄Ｒ１２では、前記コピージョブで印刷される印刷物の部数を入力することが可能である。プレビュー表示欄Ｒ１３には、前記コピージョブで印刷される画像のプレビュー画像が表示される。プレビュー表示キーＫ１１は、プレビュー表示欄Ｒ１３へのプレビュー画像の表示に用いられる。アイコン表示領域Ｒ２１には、複数の前記操作アイコンが配置される。図４に示されるように、操作画面Ｇ１０のアイコン表示領域Ｒ２１には、操作アイコンＡ１１〜Ａ１６が配置されている。
【００３０】
操作画面Ｇ１０において、操作アイコンＡ１１〜Ａ１６のいずれかが操作されると、操作された前記操作アイコンに対応する処理が実行される。例えば、操作アイコンＡ１１が操作されると、表示部６１に前記コピージョブにおける用紙選択機能に関する設定画面が表示される。なお、図４に示される操作画面Ｇ１０では、操作アイコンＡ１１の操作により、又は初期設定により、操作アイコンＡ１１で設定可能な用紙選択機能の設定内容が「自動」に設定された状態が示されている。
【００３１】
表示切替タブＴ１１〜Ｔ１６は、表示部６１に表示される前記操作アイコンの表示の切り替えに用いられる。画像処理装置１０では、前記コピージョブに関する前記操作アイコン各々が表示切替タブＴ１１〜Ｔ１６のいずれか一つ又は複数に対応付けられている。例えば、操作アイコンＡ１２は、表示切替タブＴ１１及び表示切替タブＴ１４に対応付けられている。操作画面Ｇ１０において表示切替タブＴ１２〜Ｔ１６のいずれかが操作されると、表示部６１に操作された表示切替タブに対応付けられた前記操作アイコンが配置された前記アイコン表示領域を含む前記操作画面が表示される。なお、図４に示される操作アイコンＡ１１〜Ａ１６は、表示切替タブＴ１１に対応付けられた前記操作アイコンである。
【００３２】
図５に、操作画面Ｇ１０において表示切替タブＴ１４が操作された場合に表示部６１に表示される前記アイコン表示領域を含む前記操作画面の一例を示す。図５に示される操作画面Ｇ２０は、アイコン表示領域Ｒ２２、及び表示切替キーＫ１２を含む。また、図５に示される操作画面Ｇ２０は、操作画面Ｇ１０と同様に、メッセージ表示欄Ｒ１１、印刷部数入力欄Ｒ１２、プレビュー表示欄Ｒ１３、プレビュー表示キーＫ１１、及び表示切替タブＴ１１〜Ｔ１６を含む。
【００３３】
図５に示されるように、操作画面Ｇ２０のアイコン表示領域Ｒ２２には、表示切替タブＴ１４に対応付けられた操作アイコンＡ１２、操作アイコンＡ１４、操作アイコンＡ１５、及び操作アイコンＡ２１〜Ａ２８が配置されている。表示切替キーＫ１２は、表示切替タブＴ１４に対応付けられた前記操作アイコンの表示の切り替えに用いられる。表示切替キーＫ１２は、表示切替タブに対応付けられた前記操作アイコンの数が前記アイコン表示領域における表示可能数を超えた場合に表示される。操作画面Ｇ２０において表示切替キーＫ１２が操作されると、表示部６１に表示切替タブＴ１４に対応付けられた前記操作アイコンのうち操作画面Ｇ２０に表示されない前記操作アイコンが配置された前記アイコン表示領域を含む前記操作画面が表示される。
【００３４】
図６に、操作画面Ｇ２０において表示切替キーＫ１２が操作された場合に表示部６１に表示される前記アイコン表示領域を含む前記操作画面の一例を示す。図６に示される操作画面Ｇ３０は、アイコン表示領域Ｒ２３、及び表示切替キーＫ１３を含む。また、図６に示される操作画面Ｇ３０は、操作画面Ｇ１０と同様に、メッセージ表示欄Ｒ１１、印刷部数入力欄Ｒ１２、プレビュー表示欄Ｒ１３、プレビュー表示キーＫ１１、及び表示切替タブＴ１１〜Ｔ１６を含む。
【００３５】
図６に示されるように、操作画面Ｇ３０のアイコン表示領域Ｒ２３には、表示切替タブＴ１４に対応付けられた操作アイコンＡ３１〜Ａ３３が配置されている。表示切替キーＫ１３が操作されると、表示部６１に表示される画面が操作画面Ｇ３０から操作画面Ｇ２０に切り替わる。
【００３６】
ところで、ユーザーによる呼出キー６３３の操作に応じて表示部６１に前記キーボードが表示される際に、表示部６１に表示される画面のレイアウトの都合上、前記アイコン表示領域に配置された前記操作アイコンを避けて前記キーボードを表示させることができない場合がある。ここで、前記キーボードがユーザーの操作したい前記操作アイコンの上に重なる場合、ユーザーは、前記キーボードの下に隠れた前記操作アイコンを操作するために、前記キーボードの表示位置を変更させ、又は前記キーボードの表示を一旦終了させる操作を行う必要がある。これに対し、本発明の実施形態に係る画像処理装置１０では、以下に説明するように、表示部６１に前記キーボードが表示される場合におけるユーザーの操作の手間を軽減することが可能である。
【００３７】
具体的に、制御部５の前記ＲＯＭには、前記ＣＰＵに後述の操作画面表示処理（図７のフローチャート参照）を実行させるための表示制御プログラムが予め記憶されている。なお、前記表示制御プログラムは、ＣＤ、ＤＶＤ、フラッシュメモリーなどのコンピューター読み取り可能な記録媒体に記録されており、前記記録媒体から読み取られて制御部５の前記ＥＥＰＲＯＭ等の記憶部にインストールされるものであってもよい。
【００３８】
そして、制御部５は、図２に示すように、第１表示処理部５１、処理実行部５２、識別処理部５３、第２表示処理部５４、及び表示位置設定部５５を含む。具体的に、制御部５は、前記ＣＰＵを用いて前記ＲＯＭに記憶されている前記表示制御プログラムを実行する。これにより、制御部５は、第１表示処理部５１、処理実行部５２、識別処理部５３、第２表示処理部５４、及び表示位置設定部５５として機能する。ここに、制御部５及び操作表示部６を備える装置が、本発明における表示入力装置の一例である。
【００３９】
第１表示処理部５１は、表示部６１に複数の前記操作アイコンが配置された前記アイコン表示領域を含む前記操作画面を表示させる。
【００４０】
例えば、第１表示処理部５１は、表示部６１に表示される前記初期画面においてコピー機能を選択するユーザーの操作が行われた場合に、図４に示される前記コピージョブに関する操作アイコンＡ１１〜Ａ１６が配置されたアイコン表示領域Ｒ２１を含む操作画面Ｇ１０を表示させる。
【００４１】
また、第１表示処理部５１は、表示部６１に表示される操作画面Ｇ１０において表示切替タブＴ１４が操作された場合に、図５に示される前記コピージョブに関する操作アイコンＡ１２、操作アイコンＡ１４、操作アイコンＡ１５、及び操作アイコンＡ２１〜Ａ２８が配置されたアイコン表示領域Ｒ２２を含む操作画面Ｇ２０を表示させる。
【００４２】
また、第１表示処理部５１は、表示部６１に表示される操作画面Ｇ２０において表示切替キーＫ１２が操作された場合に、図６に示される前記コピージョブに関する操作アイコンＡ３１〜Ａ３３が配置されたアイコン表示領域Ｒ２３を含む操作画面Ｇ３０を表示させる。ここに、操作アイコンＡ１１〜Ａ１６、操作アイコンＡ２１〜Ａ２８、及び操作アイコンＡ３１〜Ａ３３が、本発明における操作アイコンの一例である。
【００４３】
処理実行部５２は、操作検出部６２により前記操作アイコンへの操作が検出された場合に、操作が検出された前記操作アイコンに対応する処理を実行する。
【００４４】
具体的に、処理実行部５２は、操作検出部６２により検出された前記物体と表示部６１との接触位置が第１表示処理部５１により表示される前記アイコン表示領域に配置されたいずれかの前記操作アイコンと重なる場合に、前記接触位置と重なる前記操作アイコンに対応する処理を実行する。
【００４５】
例えば、処理実行部５２は、操作検出部６２により前記操作アイコンへの操作が検出された場合に、表示部６１に操作が検出された前記操作アイコンに対応する機能の設定操作に用いられる設定画面を表示させる。例えば、処理実行部５２は、図４に示される操作画面Ｇ１０において操作アイコンＡ１１への操作が検出された場合に、表示部６１に前記用紙選択機能に関する前記設定画面を表示させる。ここに、表示部６１に前記設定画面を表示させる処理を行う処理実行部５２が、本発明における第３表示処理部の一例である。
【００４６】
なお、処理実行部５２は、操作検出部６２により前記操作アイコンへの操作が検出される毎に、操作が検出された前記操作アイコンに対応する機能の設定を変更する処理を実行してもよい。例えば、処理実行部５２は、図４に示される操作画面Ｇ１０において操作アイコンＡ１１への操作が検出される毎に、前記用紙選択機能に関する設定内容を「自動」、「Ａ４」「Ａ３」の順で切り替える処理を実行することが考えられる。
【００４７】
識別処理部５３は、前記アイコン表示領域に配置された複数の前記操作アイコンのうち予め定められた操作期間において既に操作された操作済アイコンを識別する。
【００４８】
例えば、識別処理部５３は、処理実行部５２により表示される前記設定画面における前記設定操作の有無に基づいて、前記操作済アイコンを識別する。
【００４９】
例えば、画像処理装置１０では、前記ＲＡＭの予め定められた記憶領域に前記操作アイコン各々の操作状況を示すフラグなどの操作状況情報が記憶されている。なお、前記操作状況情報の初期値は未操作であることを示す値である。識別処理部５３は、前記設定画面において機能の設定を変更する設定変更操作が行われた場合に、前記ＲＡＭに記憶されている操作された前記操作アイコンに対応する前記操作状況情報の内容を操作済であることを示す値に書き換える。これにより、複数の前記操作アイコンから前記操作済アイコンが識別される。
【００５０】
なお、識別処理部５３は、操作検出部６２による前記操作アイコンへの操作の検出の有無に基づいて、前記操作済アイコンを識別してもよい。
【００５１】
例えば、前記操作期間は、第１表示処理部５１による前記アイコン表示領域を含む前記操作画面の表示の開始から、前記操作画面で機能が設定されるジョブの実行指示を受け付けるまでの間である。また、前記操作期間は、第１表示処理部５１による前記アイコン表示領域を含む前記操作画面の表示の開始から終了までの間であってもよい。また、前記操作期間は、第１表示処理部５１による前記アイコン表示領域を含む前記操作画面の表示の開始から予め定められた待受時間が経過するまでの間であってもよい。
【００５２】
例えば、識別処理部５３は、前記操作期間が経過する毎に、前記ＲＡＭの予め定められた記憶領域に記憶されている前記操作状況情報の内容を初期値にリセットする。
【００５３】
第２表示処理部５４は、予め定められた呼出操作が行われた場合に表示部６１に前記アイコン表示領域の一部と重なる前記キーボードを表示させる。
【００５４】
例えば、第２表示処理部５４は、前記操作画面の表示中に呼出キー６３３が操作された場合に、表示部６１に前記アイコン表示領域の一部と重なる前記キーボードを表示させる。ここに、呼出キー６３３の操作が、本発明における予め定められた呼出操作の一例である。
【００５５】
なお、第２表示処理部５４は、印刷部数入力欄Ｒ１２などの表示部６１に表示される予め定められた画像への操作が行われた場合に、表示部６１に前記アイコン表示領域の一部と重なる前記キーボードを表示させてもよい。この場合、表示部６１に表示される予め定められた画像への操作が、本発明における予め定められた呼出操作の他の一例である。
【００５６】
例えば、第２表示処理部５４は、前記アイコン表示領域の内側に前記キーボードを表示させる。なお、第２表示処理部５４による表示される前記キーボードの一部は、前記アイコン表示領域の外側にはみ出ていてもよい。
【００５７】
表示位置設定部５５は、前記アイコン表示領域に配置された複数の前記操作アイコンの中に前記操作済アイコンが存在する場合に、第２表示処理部５４による前記キーボードの表示位置を、前記キーボードと少なくとも一つの前記操作済アイコンの一部又は全部とが重なる位置に設定することが可能である。
【００５８】
具体的に、表示位置設定部５５は、前記アイコン表示領域に配置された前記操作アイコンを避けて前記キーボードを表示できない場合に、第２表示処理部５４による前記キーボードの表示位置を、前記キーボードと少なくとも一つの前記操作済アイコンの一部又は全部とが重なる位置に設定する。
【００５９】
例えば、表示位置設定部５５は、前記アイコン表示領域に配置された複数の前記操作アイコンの中に前記操作済アイコンが存在する場合は、第２表示処理部５４による前記キーボードの表示位置を、前記キーボードと一部又は全部が重なる未操作アイコンの数が最も少なくなる位置に設定する。なお、表示位置設定部５５は、前記アイコン表示領域に配置された複数の前記操作アイコンの中に前記操作済アイコンが存在する場合は、第２表示処理部５４による前記キーボードの表示位置を、前記キーボードと一部又は全部が重なる前記操作済アイコンの数が最も多くなる位置に設定してもよい。
【００６０】
また、表示位置設定部５５は、前記アイコン表示領域に配置された前記操作アイコンを避けて前記キーボードを表示できない場合であって、前記アイコン表示領域に配置された複数の前記操作アイコンの中に前記操作済アイコンが存在しない場合は、第２表示処理部５４による前記キーボードの表示位置を、前記キーボードと一部又は全部が重なる前記操作アイコンの数が最も少なくなる位置に設定する。
【００６１】
なお、表示位置設定部５５は、前記アイコン表示領域に配置された複数の前記操作アイコンの中に前記操作済アイコンが存在する場合に、第１表示処理部５１による前記操作アイコンの表示位置を、前記キーボードと少なくとも一つの前記操作済アイコンの一部又は全部とが重なる位置に設定することが可能であってもよい。例えば、表示位置設定部５５は、前記アイコン表示領域に配置された複数の前記操作アイコンの中に前記操作済アイコンが存在する場合は、第１表示処理部５１による前記操作アイコンの表示位置を、前記キーボードと一部又は全部が重なる前記未操作アイコンの数が最も少なくなる位置に設定してもよい。
【００６２】
また、表示位置設定部５５は、前記アイコン表示領域に配置された複数の前記操作アイコンの中に前記操作済アイコンが存在する場合に、第１表示処理部５１による前記操作アイコンの表示位置及び第２表示処理部５４による前記キーボードの表示位置の両方を、前記キーボードと少なくとも一つの前記操作済アイコンの一部又は全部とが重なる位置に設定することが可能であってもよい。例えば、表示位置設定部５５は、前記アイコン表示領域に配置された複数の前記操作アイコンの中に前記操作済アイコンが存在する場合は、第１表示処理部５１による前記操作アイコンの表示位置及び第２表示処理部５４による前記キーボードの表示位置の両方を、前記キーボードと一部又は全部が重なる前記未操作アイコンの数が最も少なくなる位置に設定してもよい。
【００６３】
［操作画面表示処理］
以下、図７を参照しつつ、画像処理装置１０において制御部５により実行される操作画面表示処理の手順の一例について説明する。ここで、ステップＳ１１、Ｓ１２・・・は、制御部５により実行される処理手順（ステップ）の番号を表している。なお、前記操作画面表示処理は、前記初期画面において画像処理装置１０の機能を選択するユーザーの操作が行われた場合、操作画面Ｇ１０において表示切替タブＴ１２〜Ｔ１６のいずれかが操作された場合、及び操作画面Ｇ２０において表示切替キーＫ１２が操作された場合などに実行される。
【００６４】
なお、以下では、図４に示される操作画面Ｇ１０のアイコン表示領域Ｒ２１に配置された複数の前記操作アイコンの中に前記操作済アイコンが存在しないと仮定して説明を行う。また、図５に示される操作画面Ｇ２０のアイコン表示領域Ｒ２２に配置された複数の前記操作アイコンのうち、操作アイコンＡ１２、操作アイコンＡ１５、及び操作アイコンＡ２１〜Ａ２２が識別処理部５３により前記操作済アイコンとして識別されたと仮定して説明を行う。また、図６に示される操作画面Ｇ３０のアイコン表示領域Ｒ２３に配置された複数の前記操作アイコンの中に前記操作済アイコンが存在しないと仮定して説明を行う。
【００６５】
＜ステップＳ１１＞
まず、ステップＳ１１において、制御部５は、表示部６１に複数の前記操作アイコンが配置された前記アイコン表示領域を含む前記操作画面を表示させる。ここに、ステップＳ１１の処理が、本発明における第１ステップの一例であって、制御部５の第１表示処理部５１により実行される。
【００６６】
例えば、制御部５は、前記初期画面においてコピー機能を選択するユーザーの操作が行われて前記操作画面表示処理が実行された場合は、表示部６１に図４に示される前記コピージョブに関する操作アイコンＡ１１〜Ａ１６が配置されたアイコン表示領域Ｒ２１を含む操作画面Ｇ１０を表示させる。また、制御部５は、操作画面Ｇ１０において表示切替タブＴ１４が操作されて前記操作画面表示処理が実行された場合は、表示部６１に図５に示される前記コピージョブに関する操作アイコンＡ１２、操作アイコンＡ１４、操作アイコンＡ１５、及び操作アイコンＡ２１〜Ａ２８が配置されたアイコン表示領域Ｒ２２を含む操作画面Ｇ２０を表示させる。また、制御部５は、操作画面Ｇ２０において表示切替キーＫ１２が操作されて前記操作画面表示処理が実行された場合は、表示部６１に図６に示される前記コピージョブに関する操作アイコンＡ３１〜Ａ３３が配置されたアイコン表示領域Ｒ２３を含む操作画面Ｇ３０を表示させる。
【００６７】
＜ステップＳ１２＞
ステップＳ１２において、制御部５は、操作検出部６２によりステップＳ１１で表示された前記操作アイコンへの操作が検出されたか否かを判断する。具体的に、制御部５は、操作検出部６２により検出された前記物体と表示部６１との接触位置がステップＳ１１で表示された前記アイコン表示領域に配置されたいずれかの前記操作アイコンと重なる場合に、前記操作アイコンへの操作が検出されたと判断する。
【００６８】
ここで、制御部５は、前記操作アイコンへの操作が検出されたと判断すると（Ｓ１２のＹｅｓ側）、処理をステップＳ１３に移行させる。また、前記操作アイコンへの操作が検出されていなければ（Ｓ１２のＮｏ側）、制御部５は、処理をステップＳ１５に移行させる。
【００６９】
＜ステップＳ１３＞
ステップＳ１３において、制御部５は、ステップＳ１２で操作が検出された前記操作アイコンに対応する処理を実行する。ここで、ステップＳ１３の処理は、制御部５の処理実行部５２により実行される。
【００７０】
例えば、制御部５は、操作検出部６２により前記操作アイコンへの操作が検出された場合に、操作が検出された前記操作アイコンに対応する機能の設定に用いられる前記設定画面を表示部６１に表示させる。
【００７１】
また、制御部５は、操作検出部６２により前記操作アイコンへの操作が検出された場合に、操作が検出された前記操作アイコンに対応する機能の設定を変更する処理を実行してもよい。
【００７２】
＜ステップＳ１４＞
ステップＳ１４において、制御部５は、ステップＳ１１で表示された前記アイコン表示領域に配置された複数の前記操作アイコンから前記操作済アイコンを識別する。ここに、ステップＳ１４の処理が、本発明における第３ステップの一例であって、制御部５の識別処理部５３により実行される。
【００７３】
例えば、制御部５は、ステップＳ１３においてステップＳ１２で操作が検出された前記操作アイコンに対応する前記設定画面が表示される場合に、前記設定画面における前記設定操作の有無に基づいて前記操作済アイコンを識別する。例えば、制御部５は、前記設定画面において前記設定変更操作が行われた場合に、前記ＲＡＭに記憶されている操作された前記操作アイコンに対応する前記操作状況情報の内容を操作済であることを示す値に書き換える。
【００７４】
また、制御部５は、ステップＳ１３においてステップＳ１２で操作が検出された前記操作アイコンに対応する機能の設定を変更する処理が実行される場合に、ステップＳ１２で操作が検出された前記操作アイコンを前記操作済アイコンであると識別してもよい。
【００７５】
＜ステップＳ１５＞
ステップＳ１５において、制御部５は、前記呼出操作が行われたか否かを判断する。例えば、制御部５は、呼出キー６３３が操作されたか否かを判断する。
【００７６】
ここで、制御部５は、前記呼出操作が行われたと判断すると（Ｓ１５のＹｅｓ側）、処理をステップＳ１６に移行させる。また、前記呼出操作が行われていなければ（Ｓ１５のＮｏ側）、制御部５は、処理をステップＳ１８に移行させる。
【００７７】
＜ステップＳ１６＞
ステップＳ１６において、制御部５は、表示部６１に表示される前記キーボードの表示位置を設定する。ここに、ステップＳ１６の処理が、本発明における第４ステップの一例であって、制御部５の表示位置設定部５５により実行される。
【００７８】
具体的に、制御部５は、前記アイコン表示領域に配置された前記操作アイコンを避けて前記キーボードを表示できる場合は、前記キーボードの表示位置を前記アイコン表示領域に配置された前記操作アイコンと重ならない位置に設定する。
【００７９】
また、制御部５は、前記アイコン表示領域に配置された前記操作アイコンを避けて前記キーボードを表示できない場合であって、前記アイコン表示領域に配置された複数の前記操作アイコンの中に前記操作済アイコンが存在する場合は、前記キーボードの表示位置を、前記キーボードと少なくとも一つの前記操作済アイコンの一部又は全部とが重なる位置に設定する。例えば、制御部５は、前記キーボードの表示位置を、前記キーボードと一部又は全部が重なる前記未操作アイコンの数が最も少なくなる位置に設定する。これにより、表示部６１に表示される前記キーボードの下に隠れる前記未操作アイコンの数が低減される。従って、ユーザーが前記キーボードの下に隠れた前記未操作アイコンを操作するために、前記キーボードの表示位置を変更させ、又は前記キーボードの表示を一旦終了させる操作を行う事態の発生が抑制される。
【００８０】
また、制御部５は、前記アイコン表示領域に配置された前記操作アイコンを避けて前記キーボードを表示できない場合であって、前記アイコン表示領域に配置された複数の前記操作アイコンの中に前記操作済アイコンが存在しない場合は、前記キーボードの表示位置を、前記キーボードと一部又は全部が重なる前記操作アイコンの数が最も少なくなる位置に設定する。これにより、表示部６１に表示される前記キーボードの下に隠れる前記操作アイコンの数が低減される。従って、ユーザーが前記キーボードの下に隠れた前記操作アイコンを操作するために、前記キーボードの表示位置を変更させ、又は前記キーボードの表示を一旦終了させる操作を行う事態の発生が抑制される。
【００８１】
＜ステップＳ１７＞
ステップＳ１７において、制御部５は、ステップＳ１６による前記キーボードの表示位置の設定に従って、表示部６１に前記アイコン表示領域の一部と重なる前記キーボードを表示させる。ここに、ステップＳ１７の処理が、本発明における第２ステップの一例であって、制御部５の第２表示処理部５４により実行される。
【００８２】
図８に、ステップＳ１１で図４に示される操作画面Ｇ１０が表示された場合に、ステップＳ１７で表示される前記キーボードの一例を示す。
【００８３】
図４に示される操作画面Ｇ１０では、アイコン表示領域Ｒ２１に配置された前記操作アイコンを避けてキーボードＫ２０を表示することができない。また、図４に示される操作画面Ｇ１０では、アイコン表示領域Ｒ２１に配置された複数の前記操作アイコンの中に前記操作済アイコンは存在しない。そのため、図８に示される操作画面Ｇ１０では、キーボードＫ２０が、キーボードＫ２０と一部又は全部が重なる前記操作アイコンの数が最も少なくなる位置に表示されている。具体的に、図８に示される操作画面Ｇ１０では、キーボードＫ２０が、操作アイコンＡ１３の一部のみと重なる位置に表示されている。
【００８４】
なお、操作画面Ｇ１０に表示されたキーボードＫ２０は、ユーザーによるスワイプ操作などの操作に応じて操作画面Ｇ１０における表示位置を移動させることが可能である。また、キーボードＫ２０は、図８に示される消去キーＫ２１への操作に応じて操作画面Ｇ１０から消去させることも可能である。なお、キーボードＫ２０は、呼出キー６３３の操作に応じて操作画面Ｇ１０から消去されてもよい。また、キーボードＫ２０の表示に伴い表示位置設定部５５により操作画面Ｇ１０のアイコン表示領域Ｒ２１の前記操作アイコンの配置が変更される場合は、キーボードＫ２０の操作画面Ｇ１０からの消去に伴い、操作画面Ｇ１０のアイコン表示領域Ｒ２１における前記操作アイコンの配置が元に戻されてもよい。
【００８５】
図９に、ステップＳ１１で図５に示される操作画面Ｇ２０が表示された場合に、ステップＳ１７で表示される前記キーボードの一例を示す。
【００８６】
図５に示される操作画面Ｇ２０では、アイコン表示領域Ｒ２２に配置された前記操作アイコンを避けてキーボードＫ２０を表示することができない。また、図９に示される操作画面Ｇ１０では、アイコン表示領域Ｒ２２に配置された複数の前記操作アイコンのうち、操作アイコンＡ１２、操作アイコンＡ１５、及び操作アイコンＡ２１〜Ａ２２が識別処理部５３により前記操作済アイコンとして識別されている。そのため、図９に示される操作画面Ｇ２０では、キーボードＫ２０が、キーボードＫ２０と一部又は全部が重なる前記未操作アイコンの数が最も少なくなる位置に表示されている。具体的に、図９に示される操作画面Ｇ２０では、キーボードＫ２０が、操作アイコンＡ１２の全部、操作アイコンＡ２３の全部、操作アイコンＡ１４の一部、操作アイコンＡ１５の一部、及び操作アイコンＡ２６の一部と重なる位置に表示されている。
【００８７】
図１０に、ステップＳ１１で図６に示される操作画面Ｇ３０が表示された場合に、ステップＳ１７で表示される前記キーボードの一例を示す。
【００８８】
図６に示される操作画面Ｇ３０では、アイコン表示領域Ｒ２３に配置された前記操作アイコンを避けてキーボードＫ２０を表示することが可能である。そのため、図１０に示される操作画面Ｇ３０では、キーボードＫ２０が、アイコン表示領域Ｒ２３に配置された前記操作アイコンと重ならない位置に表示されている。
【００８９】
＜ステップＳ１８＞
ステップＳ１８において、制御部５は、ステップＳ１１で表示された前記操作画面におけるユーザーの操作が終了したか否かを判断する。
【００９０】
例えば、制御部５は、前記操作画面において表示切替タブＴ１１〜Ｔ１６の操作などの前記操作アイコンの表示を切り替えるユーザーの操作が行われた場合に、前記操作画面におけるユーザーの操作が終了したと判断する。また、制御部５は、電源キー６３１又はスタートキー６３２が操作された場合に、前記操作画面におけるユーザーの操作が終了したと判断する。
【００９１】
ここで、制御部５は、前記操作画面におけるユーザーの操作が終了したと判断すると（Ｓ１８のＹｅｓ側）、前記操作画面表示処理を終了する。また、前記操作画面におけるユーザーの操作が終了していなければ（Ｓ１８のＮｏ側）、制御部５は、処理をステップＳ１２に移行させる。そして、制御部５は、前記操作画面におけるユーザーの操作が終了したと判断されるまでの間、前記操作アイコンへの操作又は前記呼出操作を待ち受ける。
【００９２】
なお、制御部５は、ステップＳ１８で前記操作アイコンの表示を切り替えるユーザー操作が行われた場合は、その操作に応じて表示部６１に表示される前記操作画面に対応する別の前記操作画面表示処理を実行する。なお、制御部５は、ステップＳ１８で前記操作アイコンの表示を切り替えるユーザー操作が行われた場合に、前記ＲＡＭの予め定められた記憶領域に記憶されている前記操作状況情報の内容を初期値にリセットしてもよい。
【００９３】
また、制御部５は、ステップＳ１８でスタートキー６３２への操作が検出された場合は、前記操作画面及び前記設定画面で設定された内容に従って前記コピージョブなどのジョブを実行する。また、制御部５は、前記ＲＡＭの予め定められた記憶領域に記憶されている前記操作状況情報の内容を初期値にリセットする。
【００９４】
また、制御部５は、ステップＳ１８で電源キー６３１の操作が検出された場合は、前記動作モードを前記省電力モードに切り替えて、操作表示部６への給電を停止させる。なお、制御部５は、ステップＳ１８で電源キー６３１の操作が検出された場合に、前記ＲＡＭの予め定められた記憶領域に記憶されている前記操作状況情報の内容を初期値にリセットしてもよい。
【００９５】
このように、前記操作画面表示処理では、前記アイコン表示領域に配置された複数の前記操作アイコンの中に前記操作済アイコンが存在する場合に、第２表示処理部５４による前記キーボードの表示位置を、前記キーボードと少なくとも一つの前記操作済アイコンの一部又は全部とが重なる位置に設定することが可能である。これにより、表示部６１に表示される前記キーボードの下に隠れる前記未操作アイコンの数が低減される。従って、表示部６１に前記キーボードが表示される場合におけるユーザーの操作の手間を軽減することが可能である。
【符号の説明】
【００９６】
１    ＡＤＦ
２    画像読取部
３    画像形成部
４    給紙部
５    制御部
５１  第１表示処理部
５２  処理実行部
５３  識別処理部
５４  第２表示処理部
５５  表示位置設定部
６    操作表示部
６１  表示部
６２  操作検出部
６３  ハードキー
６３３  呼出キー
１０  画像処理装置
Ｇ１０〜Ｇ３０  操作画面
Ｒ２１〜Ｒ２３  アイコン表示領域
Ａ１１〜Ａ３３  操作アイコン
Ｋ２０  キーボード
【図１】
0006350497.tif 000002
【図２】
0006350497.tif 000003
【図３】
0006350497.tif 000004
【図４】
0006350497.tif 000005
【図５】
0006350497.tif 000006
【図６】
0006350497.tif 000007
【図７】
0006350497.tif 000008
【図８】
0006350497.tif 000009
【図９】
0006350497.tif 000010
【図１０】
0006350497.tif 000011